(57)【要約】      （修正有）【課題】組み立て作業が容易で、かつ好ましい締結の効果が得られ容易に破損せず、環境保全に寄与する傘の柄を提供する。【解決手段】傘の柄は、Ｃ字状弾性部材と、締結部材と、ハンドルとを含む。Ｃ字状弾性部材は、中空の錐体状を呈し、側壁には縦方向に開口部を、上端には第１開口を、底端には内径が第１開口より狭い第２開口を形成し、傘の中棒の下端を覆う。締結部材は、中空の柱状を呈し、第１端の端面から貫通孔を形成し、第１端に対応する開放端である第２端からＣ字状弾性部材を挿入して内部に収納し、傘の中棒が貫通孔を貫通する。ハンドルは、中空であって、上端の開口部を形成する開放端からＣ字状弾性部材と傘の中棒の下端を挿入し、かつ締結部材に螺着する。【選択図】図１
0003159670.tif 000002
【実用新案登録請求の範囲】
【請求項１】
中空で、錐体状を呈し、側壁には縦方向に開口部を形成し、かつ上端に第１開口を形成し、底端に内径が該第１開口より狭い第２開口を形成してなり、傘の中棒の下端に嵌挿して該中棒の下端を覆うＣ字状弾性部材と、
中空の柱状を呈し、第１端の端面から貫通孔を形成し、該第１端に対応する第２端も開放端であって、該第２端から該Ｃ字状弾性部材を挿入して内部に収納し、傘の中棒が該貫通孔を貫通する締結部材と、
中空であって、上端に開口部を形成して開放端とし、該開放端からＣ字状弾性部材と傘の中棒の下端を挿入し、かつ該締結部材に螺着するハンドルと、を含むことを特徴とする環境保全タイプの傘の柄。
【請求項２】
前記Ｃ字状弾性部材の第１開口の内径が、該締結部材の貫通孔とほぼ同様であることを特徴とする請求項１に記載の環境保全タイプの傘の柄。
【請求項３】
前記Ｃ字状弾性部材の側壁の該開口部に対向する位置で、且つ該第１端に近接した位置に位置決め孔を穿設し、傘の中棒の下端の下ハジキを構成する弾性係合部材が該位置決め孔を貫通することを特徴とする請求項１に記載の環境保全タイプの傘の柄。
【請求項４】
前記ハンドルの内壁には、上端から長手方向に凹溝を形成するとともに、該Ｃ字状弾性部材の外周面には該凹溝に係止する少なくとも１以上のストッパー部を形成することを特徴とする請求項１に記載の環境保全タイプの傘の柄。
【請求項５】
前記締結部材の内壁には第１ねじ山を形成し、該ハンドル上端には、外周面に、該締結部材の第１ねじ山に螺着する第２ねじ山を形成することを特徴とする請求項１に記載の環境保全タイプの傘の柄。
【請求項６】
前記締結部材の貫通孔の内径が、該傘の中棒の外径とほぼ同様であることを特徴とする請求項１に記載の環境保全タイプの傘の柄。
【考案の詳細な説明】
【技術分野】
【０００１】
この考案は傘の構造に関し、特に環境保全タイプの傘の柄の構造に関する。
【背景技術】
【０００２】
従来の傘の柄の構造は、傘の中棒にハンドルを嵌着して粘着するか、もしくは螺着して固定させてなる。係る方式は嵌着した部分、もしくは螺着した部分が容易に緩み、長い期間使用すると、容易に破損して修理できなくなるという欠点を有する。
このような場合、傘を廃棄して新たに購入しなければならない。よって、不経済で、環境保全の観念からも好ましくない。このため、以下にして、好ましい傘の柄の構造を提供するかが、課題となっている。
【考案の概要】
【考案が解決しようとする課題】
【０００３】
この考案は、組み立て作業が容易で、かつ好ましい締結の効果が得られ容易に破損せず、環境保全に寄与する傘の柄の構造を提供することを課題とする。
【課題を解決するための手段】
【０００４】
そこで、本考案者は従来の技術の欠点に鑑み鋭意研究を重ねた結果、中空で、錐体状を呈し、側壁には縦方向に開口部を形成し、かつ上端に第１開口を形成し、底端に内径が該第１開口より狭い第２開口を形成してなり、傘の中棒の下端に嵌挿して該中棒の下端を覆うＣ字状弾性部材と、中空の柱状を呈し、第１端の端面から貫通孔を形成し、該第１端に対応する第２端も開放端であって、該第２端から該Ｃ字状弾性部材を挿入して内部に収納し、傘の中棒が該貫通孔を貫通する締結部材と、中空であって、上端に開口部を形成して開放端とし、該開放端からＣ字状弾性部材と傘の中棒の下端を挿入し、かつ該締結部材に螺着するハンドルと、を含む傘の柄の構造によって課題を解決できる点に着眼し、かかる知見に基づいて本考案を完成させた。
【０００５】
以下、この考案について具体的に説明する。
請求項１に記載する環境保全タイプの傘の柄は、中空で、錐体状を呈し、側壁には縦方向に開口部を形成し、かつ上端に第１開口を形成し、底端に内径が該第１開口より狭い第２開口を形成してなり、傘の中棒の下端に嵌挿して該中棒の下端を覆うＣ字状弾性部材と、
中空の柱状を呈し、第１端の端面から貫通孔を形成し、該第１端に対応する第２端も開放端であって、該第２端から該Ｃ字状弾性部材を挿入して内部に収納し、傘の中棒が該貫通孔を貫通する締結部材と、
中空であって、上端に開口部を形成して開放端とし、該開放端からＣ字状弾性部材と傘の中棒の下端を挿入し、かつ該締結部材に螺着するハンドルと、を含む。
【０００６】
請求項２に記載する環境保全タイプの傘の柄は、請求項１におけるＣ字状弾性部材の第１開口の内径が、該締結部材の貫通孔とほぼ同様である。
【０００７】
請求項３に記載する環境保全タイプの傘の柄は、請求項１におけるＣ字状弾性部材の側壁の該開口部に対向する位置で、且つ該第１端に近接した位置に位置決め孔を穿設し、傘の中棒の下端の下ハジキを構成する弾性係合部材が該位置決め孔を貫通する。
【０００８】
請求項４に記載の環境保全タイプの傘の柄は、請求項１におけるハンドルの内壁に、上端から長手方向に凹溝を形成するとともに、該Ｃ字状弾性部材の外周面には該凹溝に係止する少なくとも１以上のストッパー部を形成する。
【０００９】
請求項５に記載する環境保全タイプの傘の柄は、請求項１における締結部材の内壁には第１ねじ山を形成し、該ハンドル上端には、外周面に、該締結部材の第１ねじ山１に螺着する第２ねじ山を形成する。
【００１０】
請求項６に記載する環境保全タイプの傘の柄は、請求項１における締結部材の貫通孔の内径が、該傘の中棒の外径とほぼ同様である。
【考案を実施するための形態】
【００１１】
この考案は、組み立て作業が容易で、かつ好ましい締結の効果が得られ容易に破損せず、環境保全に寄与する傘の柄の構造を提供するものであって、中空で、錐体状を呈し、側壁には縦方向に開口部を形成し、かつ上端に第１開口を形成し、底端に内径が該第１開口より狭い第２開口を形成してなり、傘の中棒の下端に嵌挿して該中棒の下端を覆うＣ字状弾性部材と、中空の柱状を呈し、第１端の端面から貫通孔を形成し、該第１端に対応する第２端も開放端であって、該第２端から該Ｃ字状弾性部材を挿入して内部に収納し、傘の中棒が該貫通孔を貫通する締結部材と、中空であって、上端に開口部を形成して開放端とし、該開放端からＣ字状弾性部材と傘の中棒の下端を挿入し、かつ該締結部材に螺着するハンドルと、を含み構成される。
かかる傘の柄の構造と特徴を詳述するために、具体的な実施例を挙げ、図面を参照にして以下に説明する。
【００１２】
図１、２に開示するように、この考案による傘の柄１００は、締結部材１２０と、断面がＣ字状を呈するＣ字状弾性部材１５０と、ハンドル１８０とによってなる。
【００１３】
締結部材１２０は中空の柱状を呈し、第１端１２０aの端面１２０ｃから貫通孔１２０ｂを形成する。第１端１２０aに対応する第２端１２０ｄも開放端であって、第２端１２０ｄからＣ字状弾性部材１５０を挿入して内部に収納する。
【００１４】
締結部材１２０の内壁には第１ねじ山１２０eを形成して、ハンドル１８０を螺着する。貫通孔１２０ｂは、内径が中棒１９０の外径とほぼ同様である。
【００１５】
ハンドル１８０は、中空であって、上端に開口部１８０aを形成して開放端とする。該開放端からＣ字状弾性部材１５０と中棒１９０の下端を挿入する。ハンドル１８０の上端は、外周面に第２ねじ山１８０ｂを形成し、締結部材１２０の第１ねじ山１２０ｅを螺着する。
【００１６】
また、ハンドル１８０の内壁には、上端から長手方向に凹溝１８０ｃを形成するとともに、Ｃ字状弾性部材１５０の外周面には凹溝１８０ｃに係止するストッパー部１５０ｄを形成する。
【００１７】
Ｃ字状弾性部材１５０は中空で、錐体状を呈する。側壁には縦方向に開口部１５０を形成する。よって、中棒１９０の下端をＣ字状弾性部材１５０に嵌挿入する場合、Ｃ字状弾性部材１５０が収縮して中棒１９０の下端を覆う。
【００１８】
Ｃ字状弾性部材１５０の上端は第１開口１５０ｂを形成する。第１開口１５０ｂの内径は、締結部材１２０の貫通孔１２０ｂとほぼ同様である。また、Ｃ字状弾性部材１５０の底端には、内径が第１開口１５０ｂよる狭い第２開口１５０ｃを形成する。
【００１９】
さらに、Ｃ字状弾性部材１５０の側壁には開口部１５０に対向する位置で、かつ第１開口１５０ｂに近接した位置に位置決め孔１５０eを穿設し、傘の柄を組み立てる場合、中棒１９０の下端の下ハジキを構成する弾性係合部材１９０aに位置決め孔１５０ｅを貫通させる。
【００２０】
Ｃ字状弾性部材１５０の側壁には、ハンドル１８０の凹溝１８０ｃに対応する少なくとも１以上のストッパー部１５０eを形成し、締結部材１２０とハンドル１８０とが螺着する場合、ストッパー部１５０ｅが凹溝１８０に係合してＣ字状弾性部材１５０の位置がずれることを防ぐ。
【００２１】
以上は、この考案の好ましい実施の形態であって、この考案の実施の範囲を限定するものではない。即ち、上述する実施例は、多くの修正を加えることも可能である。言い換えれば、当業者がこの考案に対してなし得る修正、もしくは変更であって、  この考案の精神に下においてなされ、この考案に対して均等の効果を有するものは、いずれもこの考案の実用新案登録請求の範囲に含まれるものとする。
【図面の簡単な説明】
【００２２】
【図１】この考案による傘の柄の分解図である。
【図２】この考案による傘の柄を組み立てた状態を示す斜視図である。
【符号の説明】
【００２３】
１００         傘の柄
１２０         締結部材
１２０ａ       第１端
１２０ｂ       貫通孔
１２０ｄ       第２端
１２０e       第１ねじ山
１５０         Ｃ字状弾性部材
１５０ｂ       第１開口
１５０ｃ       第２開口
１５０ｄ       ストッパー部
１５０e         位置決め孔
１８０         ハンドル
１８０a         開口部
１８０ｂ       第２ねじ山
１８０ｃ       凹溝
１９０       中棒
１９０ａ     弾性係合部材
【図１】
0003159670.tif 000003
【図２】
0003159670.tif 000004